(57)【要約】      （修正有）【課題】棚板を見栄えよく簡単に石膏ボードに取り付けることができるとともに、十分な耐荷重性を発揮し得る棚板支持部材を提供する。【解決手段】石膏ボードへの取付部１１を有し、この取付部１１の上端に棚板３の上面を支持する上面支持部４を有する上側支持体５と、石膏ボードに対し打ち込まれる４本の針状部材１６を貫通孔１９２の中心軸に対し放射状にガイドしつつ取付部１１を石膏ボードに固定するガイド部材と、取付部１１に対し上下方向へスライド自在に支持されたスライダー部１７を有し、かつこのスライダー部１７の上端より水平方向へ突出して棚板３の下面を支持する下面支持部６を有する下側支持体７と、下側支持体７下端の挿通孔２４を介して下方から挿通され、上側支持体５下端のナットに螺合させて下面支持部６を上面支持部４に対し接離させるねじと、を備えている。【選択図】図１
0003181955.tif 000002
【実用新案登録請求の範囲】
【請求項１】
住宅の内壁材に使用される石膏ボードに対し棚板を支持する棚板支持部材であって、
前記石膏ボードに対面する取付部を有すると共に、この取付部の上端より水平方向へ突出して前記棚板の上面を支持する上面支持部を有する上側支持体と、
前記上側支持体の取付部を貫通する貫通孔に軸部が反石膏ボード側から挿通された状態で当該取付部に頭部が係止され、前記石膏ボードに対し打ち込まれる複数の針状部材を前記貫通孔の中心軸に対し放射状にガイドしつつ前記取付部を前記石膏ボードに固定するガイド部材と、
前記取付部に対し上下方向へスライド自在に支持されたスライダー部を有し、かつこのスライダー部の上端より水平方向へ突出して前記棚板の下面を支持する下面支持部を有する下側支持体と、
前記下側支持体の下端に設けられた挿通孔を介して下方から挿通され、前記上側支持体の下端に設けられた螺合部に螺合させて前記下面支持部を前記上面支持部に対し接離させる螺子部材と、
を備え、
前記上面支持部に対し前記下面支持部を接近させた際に当該両支持部間に前記棚板を挟持して支持していることを特徴とする棚板支持部材。
【請求項２】
前記下側支持体には、前記下面支持部の先端より下方へ延びるリブが設けられている請求項１に記載の棚板支持部材。
【請求項３】
前記ガイド部材は、前記螺子部材により前記上面支持部に対して接離する前記下面支持部の最離間位置よりも下側に位置している請求項１又は請求項２に記載の棚板支持部材。
【考案の詳細な説明】
【技術分野】
【０００１】
本考案は、住宅の壁材に使用される石膏ボードに対し棚板を支持するための棚板支持部材に関する。
【背景技術】
【０００２】
この種の棚板支持部材としては、棚板を固定する逆Ｌ字状の棚受け部材をビス等の固定具で石膏ボードに固定するようにしたものがあるが、このビス等の固定具では石膏ボードからすぐに抜け出てしまうために、あらかじめ大径のアンカーを固定し、このアンカーにビスを固定するようにしたものが知られている（例えば、特許文献１参照）。
また、棚板の一側部に固定用ボードを取り付け、この固定用ボードの周縁部分を複数の小さなピンで固定するようにしたものもある（特許文献２参照）。
【先行技術文献】
【特許文献】
【０００３】
【特許文献１】特開２００３−１３９２０号公報
【特許文献２】特開２００４−２６７４８９号公報
【考案の概要】
【考案が解決しようとする課題】
【０００４】
ところが、前記前者のものでは、石膏ボードにあらかじめ大径のアンカーを固定し、このアンカーにビスを固定しているため、アンカーを別途用意する必要があるだけでなく、そのアンカーを石膏ボードに打ち込む手間がかかる上、打ち込まれた部分のアンカーのねじ径部分でしか荷重に対する耐久性がなく、十分な耐荷重性を発揮することができない。
【０００５】
一方、前記後者のものでは、棚板の一側部に固定用ボードを取り付け、この固定用ボードの周縁部分を複数のピンで固定しているため、大きな固定用ボードを必要とする上、取り付けた際に固定用ボードが大きく目立ち、見栄えが悪い。
【０００６】
本考案は、かかる点に鑑みてなされたものであり、その目的とするところは、棚板を見栄えよく簡単に石膏ボードに取り付けることができるとともに、十分な耐荷重性を発揮し得る棚板支持部材を提供することにある。
【課題を解決するための手段】
【０００７】
前記目的を達成するため、本考案では、住宅の内壁材に使用される石膏ボードに対し棚板を支持する棚板支持部材を前提とする。そして、前記石膏ボードに対面する取付部を有し、かつこの取付部の上端より水平方向へ突出して前記棚板の上面を支持する上面支持部を有する上側支持体と、前記上側支持体の取付部を貫通する貫通孔に軸部が反石膏ボード側から挿通された状態で当該取付部に頭部が係止され、前記石膏ボードに対し打ち込まれる複数の針状部材を前記貫通孔の中心軸に対し放射状にガイドしつつ前記取付部を前記石膏ボードに固定するガイド部材と、前記取付部に対し上下方向へスライド自在に支持されたスライダー部を有すると共に、このスライダー部の上端より水平方向へ突出して前記棚板の下面を支持する下面支持部を有する下側支持体と、前記下側支持体の下端に設けられた挿通孔を介して下方から挿通され、前記上側支持体の下端に設けられた螺合部に螺合させて前記下面支持部を前記上面支持部に対し接離させる螺子部材と、を備え、前記上面支持部に対し前記下面支持部を接近させた際に当該両支持部間に前記棚板を挟持して支持していることを特徴としている。
【０００８】
また、前記下側支持体に、前記下面支持部の先端より下方へ延びるリブが設けられていてもよい。
【０００９】
更に、前記ガイド部材は、前記螺子部材により前記上面支持部に対して接離する前記下面支持部の最離間位置よりも下側に位置していることが好ましい。
【考案の効果】
【００１０】
以上、要するに、棚板支持部材の上側支持体の取付部を、その貫通孔に軸部を挿通させた状態で取付部に頭部が係止されるガイド部材により貫通孔の中心軸に対し放射状にガイドされつつ石膏ボードに打ち込まれた複数の針状部材によって、石膏ボードに広範囲に広がって固定することで、アンカーを別途用意して石膏ボードに打ち込む手間が不要となる上、複数の針状部材が石膏ボードに広範囲に放射状に広がって打ち込まれて荷重に対する耐久性が確保され、十分な耐荷重性を発揮することができる。
しかも、下側支持体下端の挿通孔から挿通した螺子部材を上側支持体下端の螺合部に螺合させて下面支持部を上面支持部に対し接離させて取付部に対しスライダー部を上下方向へスライドさせ、上面支持部に対し下面支持部を接近させた際に当該両支持部間に棚板を挟持して支持している。これにより、大きな固定用ボードを不要とし、上側支持体の上面支持部と下側支持体の下面支持部とで棚板を挟持するコンパクトな棚板支持部材によって、棚板を見栄えよく簡単に石膏ボードに取り付けることができる。
【００１１】
また、下側支持体に下面支持部の先端より下方へ延びるリブを設けることで、下面支持部の先端に作用する棚板からの荷重を効率よく受け止め、棚板への載置物の重量制限を向上させることができる。
【００１２】
更に、ガイド部材を上面支持部に対する下面支持部の最離間位置よりも下側に位置させることで、上面支持部と下面支持部との間に棚板を挟持する際にガイド部材が露呈することなく隠蔽され、見栄えを効果的に高めることができる。しかも、棚板とガイド部材との干渉も確実に回避され、棚板を上側支持体の取付部に接触するまで近付けることもでき、上面支持部及び下面支持部による棚板の支持面積を効率よく拡張させることができる。
【図面の簡単な説明】
【００１３】
【図１】本考案の実施の形態に係る棚板支持部材を背面側から見た長尺な棚板の支持状態での斜視図である。
【図２】図１の棚板支持部材を正面側から見た斜視図である。
【図３】図２の棚板支持部材の側面図である。
【図４】図１の棚板支持部材の上側支持体を背面側から見た斜視図である。
【図５】図４の上側支持体の正面図である。
【図６】図４の上側支持体の取付部をガイド部材により取り付ける状態を示す斜視図である。
【図７】図１の棚板支持部材の下側支持体を背面側から見た斜視図である。
【図８】図７の下側支持体の下面支持部に取り付けられる下側シートを上方から見た斜視図である。
【図９】図８の下側シートを下方から見た底面図である。
【図１０】図４の上側支持体の上面支持部に取り付けられる上側シートを上方から見た斜視図である。
【図１１】本実施の形態の変形例に係る棚板支持部材を正面側下方から見た扇状の棚板の支持状態での斜視図である。
【考案を実施するための形態】
【００１４】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１５】
図１は本考案の実施の形態に係る棚板支持部材を背面側から見た長尺な棚板の支持状態での斜視図、図２は棚板支持部材を正面側から見た斜視図、図３は棚板支持部材の側面図をそれぞれ示している。
【００１６】
図１〜図３において、１は本考案の実施の形態に係る棚板支持部材であって、この棚板支持部材１は、住宅の内壁材に使用される石膏ボード２（図２に表れる）に対し長尺な棚板３を支持するために少なくとも一対で供される。この棚板３としては、アクリル樹脂、ＡＢＳ樹脂、ポリスチレン樹脂、ポリプロピレン樹脂又はポリエチレンテレフタレート樹脂などの合成樹脂からなる棚板や、ガラス製又は木製の棚板が適用される。また、棚板支持部材１は、棚板３の上面を支持する上面支持部４を有する上側支持体５と、棚板３の下面を支持する下面支持部６を有する下側支持体７とを備えている。上側支持体５及び下側支持体７は、それぞれＡＢＳ樹脂、ポリスチレン樹脂、ポリプロピレン樹脂又はポリエチレンテレフタレート樹脂などの合成樹脂や、亜鉛合金、アルミニウム合金、チタン合金又はマグネシウム合金などの軽量な非鉄金属等により成形されている。
【００１７】
図４は棚板支持部材１の上側支持体５を背面側から見た斜視図、図５は上側支持体５の正面図をそれぞれ示している。図４に示すように、上側支持体５は、石膏ボード２に対面する上下方向に長い矩形板状の取付部１１を備えている。また、上面支持部４は、取付部１１の上端より水平方向へ突出している。この上面支持部４は、下面が水平面に形成されている一方、上面がなだらかな曲面に形成され、先端及び左右両端に行くに従い下面に収束している。一方、取付部１１は、その表裏方向で互いに形状が異なる表面側部分１２及び裏面側部分１３により構成されている。この表面側部分１２は、裏面側部分１３よりも左右方向へそれぞれ均一量だけ突出する突出部１４を備えている。この各突出部１４は、取付部１１の上下両端間に亘って連続的に設けられている。
【００１８】
図６は上側支持体５の取付部１１をガイド部材により取り付ける状態を示す斜視図であって、突出部１４には、上下一対の開口孔１９が設けられている。この各開口孔１９は、表面側部分１２に凹設された略正方形状の凹部１９１と、この凹部１９１の中心部において裏面側部分１３を貫通する略真円形状の貫通孔１９２とからなる。更に、各開口孔１９には、取付部１１を石膏ボード２に固定するガイド部材１５が挿通されている。このガイド部材１５は、各開口孔１９の貫通孔１９２に正面側（反石膏ボード２側）から挿通される略円柱状の軸部１５１と、この軸部１５１が挿通された状態で各開口孔１９の凹部１９１に挿通されて当該凹部１９１の底部で係止される略方形屋根状の頭部１５２とを備えている。なお、頭部１５２の形状は、これに限定されるものではなく、多角形状もしくは円形状であってもよく、表面側部分１２に凹設される凹部１９１の形状も頭部の形状に応じて変更される。
【００１９】
また、ガイド部材１５には、頭部１５２のそれぞれの斜面に沿って石膏ボード２に対し打ち込まれる４本の針状部材１６，１６，…を各貫通孔１９２の中心軸ｍに対し放射状にガイドする４つのガイド孔１５３，１５３，…が互いに等間隔で設けられている。なお、ガイド孔１５３は４つに限定されるものではなく、２〜３もしくは５つ以上のガイド孔が互いに等間隔で設けられていてもよい。
【００２０】
図７は棚板支持部材１の下側支持体７を背面側から見た斜視図を示している。この図７において、下側支持体７には、左右の突出部１４をそれぞれ箇々に挿通する左右一対の断面略凹字溝状のスライダー部１７，１７が石膏ボード２に沿って鉛直方向へ延びて設けられ、この各スライダー部１７によって、取付部１１に対し下側支持体７を上下方向へスライド自在に支持している。また、下面支持部６は、各スライダー部１７の上端より水平方向へ突出している。下側支持体７は、下面支持部６の上面が水平面に形成されていると共に、スライダー部１７の背面（取付部１１側の面）が鉛直面に形成され、側面視（図３に表れる）で下面支持部６の上面とスライダー部１７の背面とをそれぞれ半径面部とする略四分の一円弧状に形成されている。この下面支持部６の上面とスライダー部１７の背面とは、下側支持体７自体が中空の枠体状に形成されている関係上、それぞれ半楕円形の枠体状を呈している。なお、下側支持体７の形状は、これに限定されるものではなく、コンパクトなデザインとなるように、下面支持部の上面の先端とスライダー部の背面の下端とが側面視で凹状、例えば波形状に連結されていてもよい。
【００２１】
また、下面支持部６は、上面支持部４よりも水平方向への突出量が大きく（例えば２．５倍程度大きく）設定され、棚板３の下方からの支持面積を拡張させている。
【００２２】
図８は下側支持体７の下面支持部６に取り付けられる下側シートを上方から見た斜視図、図９は下側シートを下方から見た底面図である。図８及び図９において、下面支持部６は、枠体状に形成されていて、その上面に下側シート２１が設置されている。この下側シート２１の下面には、下面支持部６の上面に対しその内側からズレ防止可能にガイドする左右一対のガイド片２１１が一体的に設けられている。そして、下側シート２１は、熱可塑性エラストマ樹脂や熱可塑性ゴムなどにより成形され、下面支持部６の上面を閉止する半楕円形状に形成されている。
【００２３】
図１０は上側支持体５の上面支持部４に取り付けられる上側シートを上方から見た斜視図を示している。この図１０において、上面支持部４の下面には、上側シート２２が設置されている。この上側シート２２には上方へ突出する突部２２１が一体的に設けられ、この突部が、上面支持部４の下面に凹設された凹部（図示せず）に嵌合されて上側シート２２を上面支持部４の下面に保持している。また、上側シート２２も、熱可塑性エラストマ樹脂や熱可塑性ゴムなどにより成形され、上面支持部４の下面に則した半楕円形状に形成されている。
【００２４】
また、棚板支持部材１は、下面支持部６を上面支持部４に対し接離させる螺子部材としてのねじ２３を備えている。このねじ２３は、下側支持体７の下端に設けられた挿通孔２４を介して下方から挿通され、上側支持体５の下端に設けられた螺合部としてのナット２５に螺合させている。つまり、挿通孔２４に挿通されたねじ２３のナット２５に対する螺合量を調整することで、下面支持部６を上面支持部４に対し接離させている。なお、ナット２５に代えて、上側支持体５の下端にねじ溝が直に螺設された螺合部であってもよい。
【００２５】
そして、下側支持体７には、下面支持部６の先端より下方へ延びる左右一対のリブ３１が設けられている。この各リブ３１は、断面略円柱状に形成され、下端において下側支持体７の形状に則して収束している。また、上側のガイド部材１５は、ねじ２３により上面支持部４に対して接離する下面支持部６の最離間位置よりも下側に位置していて、棚板３を上面支持部４と下面支持部６との間で挟持する際に当該上面支持部４と下面支持部６との間において当該ガイド部材１５が露呈しないように下面支持部６で隠蔽している。
【００２６】
したがって、本実施の形態では、棚板支持部材１の上側支持体５の取付部１１が、その上下の開口孔１９に挿通されたガイド部材１５により各貫通孔１９２の中心軸ｍに対し放射状にガイドされつつ石膏ボード２に打ち込まれた４本の針状部材１６によって、石膏ボード２に対し広範囲に広がって固定されているので、アンカーを別途用意して石膏ボード２に打ち込む手間が不要となる上、４本の針状部材１６が石膏ボード２に広範囲に放射状に広がって打ち込まれて荷重に対する耐久性が確保され、十分な耐荷重性を発揮することができる。
【００２７】
しかも、下側支持体７下端の挿通孔２４から挿通したねじ２３を上側支持体５下端のナット２５に螺合させて下面支持部６を上面支持部４に対し接離させて取付部１１に対しスライダー部１７を上下方向へスライドさせ、上面支持部４に対し下面支持部６を接近させた際に当該両支持部４，６間に棚板３を挟持して支持している。これにより、大きな固定用ボードを不要とし、上側支持体５の上面支持部４と下側支持体７の下面支持部６とで棚板３を挟持するコンパクトな棚板支持部材１によって、棚板３を見栄えよく簡単に石膏ボード２に取り付けることができる。
【００２８】
また、下側支持体７に下面支持部６の先端より下方へ延びる左右一対のリブ３１が設けられているので、下面支持部６の先端に作用する棚板３からの荷重を効率よく受け止め、棚板３への載置物の重量制限を向上させることができる。
【００２９】
更に、上側のガイド部材１５が、上面支持部４に対する下面支持部６の最離間位置よりも下側に位置しているので、上面支持部４と下面支持部６との間に棚板３を挟持する際にガイド部材１５が露呈することなく隠蔽され、見栄えを効果的に高めることができる。しかも、棚板３とガイド部材１５との干渉も確実に回避され、棚板３を上側支持体４の取付部１１に接触するまで近付けることもでき、上面支持部４及び下面支持部６による棚板３の支持面積を効率よく拡張させることができる。
【００３０】
なお、本考案は、前記実施の形態に限定されるものではなく、その他種々の変形例を包含している。例えば、本実施の形態では、長尺な棚板３を一対の棚板支持部材１により支持する場合について述べたが、図１１に示すように、アクリル樹脂よりなる四分の一円弧状の棚板９を石膏ボード２同士が交叉するコーナー部において支持する場合にも適用できる。
【符号の説明】
【００３１】
１        棚板支持部材
２        石膏ボード
３        棚板
４        上面支持部
５        上側支持体
６        下面支持部
７        下側支持体
９        棚板
１１      取付部
１５      ガイド部材
１５１    軸部
１５２    頭部
１６      針状部材
１７      スライダー部
１９２    貫通孔
２３      ねじ（螺子部材）
２４      挿通孔
２５      ナット（螺合部）
３１      リブ
ｍ        貫通孔の中心軸
【図１】
0003181955.tif 000003
【図２】
0003181955.tif 000004
【図３】
0003181955.tif 000005
【図４】
0003181955.tif 000006
【図５】
0003181955.tif 000007
【図６】
0003181955.tif 000008
【図７】
0003181955.tif 000009
【図８】
0003181955.tif 000010
【図９】
0003181955.tif 000011
【図１０】
0003181955.tif 000012
【図１１】
0003181955.tif 000013